(57)【要約】【課題】フラップバルブの耐久性を向上させて使用寿命が延長され得るようにした車両用排気ガス再循環バルブを提供する。【解決手段】本発明による車両用排気ガス再循環バルブは、排気ガスが流れる流路が形成されたハウジング；前記ハウジングに回転可能に設置されたシャフト；前記シャフトを中心に回転可能に備えられ前記流路を開閉するフラップバルブ；前記シャフトに備えられたブッシュ；前記フラップバルブと前記ブッシュの間の前記シャフトに設置されたアンチウェアワッシャー；および前記シャフトに設置され前記ブッシュを弾性支持するスプリング；を含む。【選択図】図２
2014118967.tif 000002
【特許請求の範囲】
【請求項１】
排気ガスが流れる流路が形成されたハウジング；
前記ハウジングに回転可能に設置されたシャフト；
前記シャフトを中心に回転可能に備えられ前記流路を開閉するフラップバルブ；
前記シャフトに備えられたブッシュ；
前記フラップバルブと前記ブッシュの間の前記シャフトに設置されたアンチウェアワッシャー；および
前記シャフトに設置され前記ブッシュを弾性支持するスプリング；
を含む車両用排気ガス再循環バルブ。
【請求項２】
前記フラップバルブには、
前記アンチウェアワッシャーが前記フラップバルブに固定されるように、前記フラップバルブの上部の一部がカッティングされたフラップカッティング部が形成されたことを特徴とする、請求項１に記載の車両用排気ガス再循環バルブ。
【請求項３】
前記フラップカッティング部の高さは、２．３〜２．７ｍｍであることを特徴とする、請求項２に記載の車両用排気ガス再循環バルブ。
【請求項４】
前記アンチウェアワッシャーの厚さは、２．３〜２．７ｍｍであることを特徴とする、請求項２に記載の車両用排気ガス再循環バルブ。
【請求項５】
前記アンチウェアワッシャーには、前記アンチウェアワッシャーが前記フラップカッティング部に固定されるように前記アンチウェアワッシャーの周縁の両側一部がカッティングされたワッシャーカッティング部が形成されたことを特徴とする、請求項２に記載の車両用排気ガス再循環バルブ。
【請求項６】
前記アンチウェアワッシャーは、インコネル７１３Ｃからなることを特徴とする、請求項１に記載の車両用排気ガス再循環バルブ。
【請求項７】
前記アンチウェアワッシャーと前記ブッシュが接触する部分にはタクシコン（ＴＡＣＳｉＣｏＮ）がコーティングされたことを特徴とする、請求項１に記載の車両用排気ガス再循環バルブ。
【請求項８】
前記ブッシュは、前記ハウジングにキーによって固定されたことを特徴とする、請求項１に記載の車両用排気ガス再循環バルブ。
【請求項９】
前記スプリングは、インコネルＸ−７５０からなることを特徴とする、請求項１に記載の車両用排気ガス再循環バルブ。
【請求項１０】
前記スプリングと前記ブッシュの間の前記シャフトには上部ブッシュが備えられたことを特徴とする、請求項１に記載の車両用排気ガス再循環バルブ。
【請求項１１】
前記上部ブッシュは、ステンレススチールからなることを特徴とする、請求項１０に記載の車両用排気ガス再循環バルブ。
【発明の詳細な説明】
【技術分野】
【０００１】
本発明は車両用排気ガス再循環バルブに係わり、より詳しくは、バルブの耐久性を向上させることができる車両用排気ガス再循環バルブに関する。
【背景技術】
【０００２】
一般に、ＮＯｘ（窒素酸化物）は高圧、高温の時に酸素と窒素が結合して発生する有害ガスである。これを抑制するために、大気中に排出される排気ガスの一部を再び吸気系統側に供給して最高燃焼温度を低め、酸素供給を減らしてＮＯｘの生成を低減させるＥＧＲ（ｅｘｈａｕｓｔ  ｇａｓ  ｒｅｃｉｒｃｕｌａｔｉｏｎ）システムが使用される。
【０００３】
前記ＥＧＲシステムで、大気中に排出される排気ガスの一部を再び吸気系統側に供給する排気ガスの量によって燃料の燃焼状態が左右されることにより、エンジンの出力と排出ガスに含まれるＮＯｘとＰＭ（粒子状物質）などに影響を与える。
【０００４】
即ち、ＥＧＲシステムは、エンジンから排出される排気ガスの一部をシリンダーの吸気装置に戻すことによってエンジンの燃焼温度を下げ、ＮＯｘの発生量を低減させる。
【０００５】
前記のようにＥＧＲシステムではリターンされる排気ガスの量が重視され、前記リターンされる排気ガスを制御するものがＥＧＲバルブである。
【０００６】
そして、排気ガスの再循環を制御するために再循環流路にはフラップバルブ（ｆｌａｐ  ｖａｌｖｅ）が設置され、駆動部とこれに連結されたレバーを用いて前記フラップバルブの開度を制御する。
【０００７】
しかし、再循環される排気ガスの温度が高く、エンジンの稼働状態によって開放および閉鎖動作を繰り返すことにより、フラップバルブおよびレバーを含む部品に反復的な応力が集中されて、その耐久性が低減されることがある。
【０００８】
即ち、図１に示されているように、一般的なＥＧＲバルブの場合、フラップバルブ１２とブッシュ１１の接触面の摩耗で上向シフト（ｓｈｉｆｔ）されて、フラップバルブ１２とハウジング１３の接触される部分Ａが摩耗される問題がある。
【０００９】
そして、熱間時にフラップバルブ１２がハウジングに挟まって作動不能状態になることがあるという問題がある。
【００１０】
このために材質をステンレススチール（ＳＵＳ）を使用する場合、約５５０℃以上で硬度が急激に低下して、耐摩耗性に不利である。また、製造工法上、鋳造および溶接性のためにフラップバルブ１２をブッシュ１１と同一な材質で製作するのが困難であるという問題がある。
【先行技術文献】
【特許文献】
【００１１】
【特許文献１】特開２００５−２３３０２３号公報
【特許文献２】韓国出願公開第２０１１−００４１２６５号明細書
【特許文献３】米国特許第８２９１８８５号明細書
【発明の概要】
【発明が解決しようとする課題】
【００１２】
本発明は前記のような問題点を解決するために案出されたものであって、フラップバルブの耐久性を向上させて使用寿命が延長され得るようにした車両用排気ガス再循環バルブを提供することに目的がある。
【課題を解決するための手段】
【００１３】
前記のような目的を達成するための本発明の実施形態による車両用排気ガス再循環バルブは、排気ガスが流れる流路が形成されたハウジング；前記ハウジングに回転可能に設置されたシャフト；前記シャフトを中心に回転可能に備えられ前記流路を開閉するフラップバルブ；前記シャフトに備えられたブッシュ；前記フラップバルブと前記ブッシュの間の前記シャフトに設置されたアンチウェアワッシャー；および前記シャフトに設置され前記ブッシュを弾性支持するスプリング；を含むことができる。
【００１４】
前記フラップバルブには、前記アンチウェアワッシャーが前記フラップバルブに固定されるように、前記フラップバルブの上部の一部がカッティングされたフラップカッティング部が形成され得る。
【００１５】
前記フラップカッティング部の高さは、２．３〜２．７ｍｍにすることができる。
【００１６】
前記アンチウェアワッシャーの厚さは、２．３〜２．７ｍｍにすることができる。
【００１７】
前記アンチウェアワッシャーには、前記アンチウェアワッシャーが前記フラップカッティング部に固定されるように前記アンチウェアワッシャーの周縁の両側一部がカッティングされたワッシャーカッティング部が形成され得る。
【００１８】
前記アンチウェアワッシャーは、インコネル７１３Ｃからなり得る。
【００１９】
前記アンチウェアワッシャーと前記ブッシュが接触する部分にはタクシコン（ＴＡＣＳｉＣｏＮ）がコーティングされ得る。
【００２０】
前記ブッシュは、前記ハウジングにキーによって固定され得る。
【００２１】
前記スプリングは、インコネルＸ−７５０からなり得る。
【００２２】
前記スプリングと前記ブッシュの間の前記シャフトには上部ブッシュが備えられ得る。
【００２３】
前記上部ブッシュは、ステンレススチールからなり得る。
【発明の効果】
【００２４】
本発明による車両用排気ガス再循環バルブは、バルブの耐久性を向上させることができる。
【図面の簡単な説明】
【００２５】
【図１】一般的な車両用排気ガス再循環バルブの構成を示した図面である。
【図２】本発明による車両用排気ガス再循環バルブの組み立て完了前の斜視図である。
【図３】組み立てが完了した本発明による車両用排気ガス再循環バルブの作動状態を示した図面である。
【発明を実施するための形態】
【００２６】
以下、添付された図面を参照して本発明による好ましい実施形態を詳しく説明する。
【００２７】
但し、図面に示された各構成の大きさおよび厚さは説明の便宜のために任意に示したので、本発明が必ずしも図面に示されたところに限定されず、様々な部分および領域を明確に表現するために厚さを拡大して示した。
【００２８】
また、本発明の実施形態を明確に説明するために説明上不必要な部分は省略し、明細書全体にわたって同一または類似の構成要素については同一の図面符号を付与して説明する。
【００２９】
図２は本発明による車両用排気ガス再循環バルブの組み立て完了前の斜視図であり、図３は組み立てが完了した本発明による車両用排気ガス再循環バルブの作動状態を示した図面である。
【００３０】
図面を参照すれば、本発明による車両用排気ガス再循環バルブは、排気ガスが流れる流路２０ａが形成されたハウジング２０と、このハウジング２０に回転可能に設置されたシャフト２１と、このシャフト２１を中心に回転可能に備えられて前記流路２０ａを開閉するフラップバルブ２２と、前記シャフト２１に備えられたブッシュ２３と、前記フラップバルブ２２とブッシュ２３の間のシャフト２１に設置されたアンチウェアワッシャー（ａｎｔｉ−ｗｅａｒ  ｗａｓｈｅｒ）２６と、前記ブッシュ２３を弾性支持するように前記シャフト２１に設置されたスプリング２５を含む。
【００３１】
前記フラップバルブ２２には、アンチウェアワッシャー２６がフラップバルブ２２の内側に固定されるように、フラップバルブ２２の上部の一部がカッティングされたフラップカッティング部２２ａが形成される。
【００３２】
そして前記フラップカッティング部２２ａの高さは２．３〜２．７ｍｍであり、前記アンチウェアワッシャー２６の厚さもフラップカッティング部２２ａの高さに合うように２．３〜２．７ｍｍであるのが好ましい。例えば、前記アンチウェアワッシャー２６の厚さが２．５ｍｍであれば、フラップカッティング部２２ａの高さも２．５ｍｍにすればよい。
【００３３】
また、前記アンチウェアワッシャー２６には、前記アンチウェアワッシャー２６がフラップカッティング部２２ａの内側に挿入されるように、アンチウェアワッシャー２６の周縁の両側一部がカッティングされたワッシャーカッティング部２６ａが形成される。その理由は、前記フラップバルブ２２の回転時に前記フラップバルブ２２と共に前記アンチウェアワッシャー２６が回転できるようにするためである。
【００３４】
そして前記アンチウェアワッシャー２６は、厚さが２．５ｍｍでも高温剛性を維持することができるようにインコネル７１３Ｃを適用する。
【００３５】
また、前記フラップバルブ２２の回転時にアンチウェアワッシャー２６とブッシュ２３が回転する時、前記アンチウェアワッシャー２６とブッシュ２３の接触の部分にはタクシコン（ＴＡＣＳｉＣｏＮ；ＴｉＡｌＣｒＳｉＣＮ）がコーティングされる。前記タクシコンは、本発明の出願人によって考案された耐摩耗性、耐焼着強化コーティング剤である。
前記ブッシュ２３の外周にはキー溝２３ａが形成され、前記キー溝２３ａにはキー２３ｂが挿入されて、前記ブッシュ２３が前記ハウジング２０に固定される。これにより、ブッシュ２３とハウジング２０間キー装着構造で高温での熱膨張差によるブッシュ２３の離脱を防止する。一般的な排気ガス再循環バルブの場合、ブッシュ２３が圧入方法によって設置されることによって、約７００℃以上の高温では離脱する問題点があった。
【００３６】
また、前記スプリング２５はインコネルＸ−７５０が適用されることによって、前記フラップバルブ２２の上下流動によるアンチウェアワッシャー２６の脆性を防止する。即ち、高温でのスプリング２５の弾性を維持するためにインコネル材質が適用されたのである。
【００３７】
一般的な排気ガス再循環バルブの場合、スプリング２５がステンレススチールからなって使用中に弾性が喪失されていた。
【００３８】
そして前記スプリング２５とブッシュ２３の間のシャフト２１には上部ブッシュ２４が備えられ、この上部ブッシュ２４はステンレススチール（例えば、ＳＵＳ３１６）からなる。
【００３９】
前記のような構成を有する本発明による車両用排気ガス再循環バルブの作用を説明する。ここで、本発明による車両用排気ガス再循環バルブの特徴的な作用のみを説明する。
【００４０】
図２および図３を参照すれば、エンジンの作動状態によってＥＣＵ（ｅｎｇｉｎｅ  ｃｏｎｔｒｏｌ  ｕｎｉｔ）は前記シャフト２１を回転させて前記フラップバルブ２２を開閉させる。エンジンの作動状態による前記ＥＣＵの作動および構成などは本発明が属する技術分野の通常の技術者に自明の事項であるので、詳しい説明は省略する。
【００４１】
本発明による車両用排気ガス再循環バルブは、高温（７５０℃以上）で使用するフラップバルブ２２方式が適用されたＥＧＲバルブであって、ブッシュ（高硬度焼結材）２３と接触回転して摩擦が発生されるフラップバルブ（ステンレススチール材）２２の摩耗が防止されるようにしたものである。
【００４２】
このために、高温剛性を維持するためにアンチウェアワッシャー２６をインコネル７１３および高温耐磨耗／耐焼着用特殊コーティング（タクシコン：ＴｉＡｌＣｒＳｉＣＮ）処理する。また、アンチウェアワッシャー２６を、アンチウェアワッシャー２６の固定のためのフラップカッティング部２２ａが備えられたフラップバルブ２２と、離脱防止用キー溝２３ａが形成されたブッシュ２３との間に組み立てて、フラップバルブ２２の摩耗を防止した。
【００４３】
また高温での弾性を維持するインコネルＸ７５０材質のスプリング２５を適用して、上下振動を吸収して約２．５ｍｍの厚さを有するワッシャー２６の強健性を維持するようにした。
【００４４】
前述のように本発明は図面に示された一実施形態を参考にして説明されたが、これは例示的なものに過ぎず、当該技術分野における通常の知識を有する者であれば、これから多様な変形および均等な実施形態が可能であるという点を理解することができる。従って、本発明の真正の保護範囲は添付された特許請求の範囲によってのみ決められなければならない。
【符号の説明】
【００４５】
２０：ハウジング
２１：シャフト
２２：フラップバルブ
２２ａ：フラップカッティング部
２３：ブッシュ
２５：スプリング
２６：アンチウェアワッシャー
【図１】
2014118967.tif 000003
【図２】
2014118967.tif 000004
【図３】
2014118967.tif 000005